(57)【特許請求の範囲】
【請求項１】
開口枠に取付けられる枠側ブラケットにピン部材を、幅方向移動機構で幅方向に移動可能に設けた枠側金具と、
扉に取付けられる扉側ブラケットにピン支持体を、見込み方向移動機構で見込み方向に移動可能に設けた扉側金具を備え、
前記ピン部材とピン支持体が回動自在に連結され、
前記ピン支持体は、扉側ブラケットに見込み方向移動機構で見込み方向に移動可能に設け、下面にねじ穴４７を有した軸４５と、上ねじ部４６ａを有した回転子４６を備え、この軸４５のねじ穴４７に回転子４６の上ねじ部４６ａが螺合され、この回転子４６を軸４５に対して回転することで回転子４６と軸５が上下方向に相対的に移動し、この回転子４６の上面と軸４５の下面との間にスペーサ５６を設けるようにし、
前記回転子４６がピン部材の上部に、扉側金具を枠側金具で支持するように回動自在に連結されることを特徴とするヒンジ。
【請求項２】
前記ヒンジは下ヒンジ１６と上ヒンジ１７を有し、
前記下ヒンジ１６は扉側金具の重量を枠側金具で支持する形状で、
前記上ヒンジ１７の扉側金具は、前記枠側金具のピン部材が嵌まり込み扉の上部寄りを開口枠の上部寄りに支持する平面コ字形状のピン支持凹部７６を有する扉側ブラケット７１と、この扉側ブラケット７１に見込み方向に移動可能に取付けられてピン支持凹部７６とによってピン部材を回動自在に支承する固定部材７２で形成した請求項１記載のヒンジ。
【発明の詳細な説明】
【０００１】
【発明の属する技術分野】
本発明は、開口枠に扉を閉じ位置と開き位置に亘って回動自在に取付けるヒンジに関する。
【０００２】
【従来の技術】
実用新案登録第２６０４１２９号公報に示すヒンジが提案されている。
このヒンジは、枠側ブラケットにピン支持部を見込み方向調整機構で見込み方向に移動自在に設けた枠側金具と、扉側ブラケットにピン部材を幅方向移動機構で幅方向に移動自在に設けた扉側金具を備え、ピン部材がピン支持部に回動自在に嵌合して枠側金具と扉側金具が回動自在に連結したものである。
前述のヒンジを用いて扉を開口枠に取付けることにより、扉を開口枠に取付けた状態で扉を見込み方向、幅方向に移動して建付け調整できる。
【０００３】
【発明が解決しようとする課題】
前述のヒンジであると扉を見込み方向に移動する時には、扉側ブラケット、ピン部材、ピン支持部が枠側ブラケットに対して移動し、移動する部材の数が多く扉が見込み方向に移動しずらい。
扉を幅方向に移動する時には、扉と扉側ブラケットのみが幅方向に移動するので、移動する部材の数が少なく扉が幅方向に移動し易い。
このために、扉を見込み方向に移動するよりも幅方向に移動する方が容易で、しかも微移動が可能である。
【０００４】
扉を見込み方向に移動するのは、扉を閉じ位置とした時に開口枠に装着した気密材と扉との当りを強くして気密性を向上したり、弱くして気密材鳴音をおさえ、気密材と扉が正しく当るようにすること、光洩れ防止、ラッチが正しくかかるようにする、ラッチががたつくことがないようにする等を目的とする。
扉を幅方向に移動するのは、ラッチの掛り代を調整することを目的とする。
このことから、扉を建付け調整する場合、扉を見込み方向に移動させる頻度は、幅方向に移動させる頻度より高い。
【０００５】
したがって、従来のヒンジは移動する頻度が高い見込み方向への移動がしずらいので好ましくない。
【０００６】
また、従来のヒンジは扉側金具にピン部材が設けられ、枠側金具にピン支持部が設けてあるので、扉を回動する時に扉とともにピン部材が枠側に固定されたピン支持部に対して回動するため扉回動時に上ヒンジ部分において扉の支持が不安定で、扉の安定感が劣る。
【０００７】
また、施工時に枠側金具を開口枠に取付けると共に、扉側金具を扉に取付け、扉を運搬等して扉側金具と枠側金具を回動自在に連結して扉を取付けるようにすると、下ヒンジの枠側金具のピン支持部に木屑、ほこり、モルタル等の異物が入り込んで溜ることがあり、そのままの状態で扉を取付けると異物のために音鳴りが生じたり、ヒンジの耐久性が低下する恐れがある。
つまり、前述のように施工する場合には開口枠に枠側金具を取付けた後に家屋内への物品の搬入、家屋外への物品の搬出、床仕上げ、内装仕上げ等を行ない、その後に扉を取付けるので、下ヒンジの枠側金具のピン支持部に前述の異物が入り込んで溜ることがある。
【０００８】
そこで、本発明は前述の課題を解決できるようにしたヒンジを提供することを目的とする。
【０００９】
【課題を解決するための手段】
第１の発明は、開口枠に取付けられる枠側ブラケットにピン部材を、幅方向移動機構で幅方向に移動可能に設けた枠側金具と、
扉に取付けられる扉側ブラケットにピン支持体を、見込み方向移動機構で見込み方向に移動可能に設けた扉側金具を備え、
前記ピン部材とピン支持体が回動自在に連結され、
前記ピン支持体は、扉側ブラケットに見込み方向移動機構で見込み方向に移動可能に設け、下面にねじ穴４７を有した軸４５と、上ねじ部４６ａを有した回転子４６を備え、この軸４５のねじ穴４７に回転子４６の上ねじ部４６ａが螺合され、この回転子４６を軸４５に対して回転することで回転子４６と軸５が上下方向に相対的に移動し、この回転子４６の上面と軸４５の下面との間にスペーサ５６を設けるようにし、
前記回転子４６がピン部材の上部に、扉側金具を枠側金具で支持するように回動自在に連結されることを特徴とするヒンジである。
【００１１】
第２の発明は、第１の発明において前記下ヒンジ１６は扉側金具の重量を枠側金具で支持する形状で、
前記上ヒンジ１７の扉側金具は、前記枠側金具のピン部材が嵌まり込み扉の上部寄りを開口枠の上部寄りに支持する平面コ字形状のピン支持凹部７６を有する扉側ブラケット７１と、この扉側ブラケット７１に見込み方向に移動可能に取付けられてピン支持凹部７６とによってピン部材を回動自在に支承する固定部材７２で形成したヒンジである。
【００１２】
【作  用】
第１の発明によれば、扉を見込み方向に移動する時には扉側ブラケットがピン支持体に対して見込み方向に移動するだけであるから、扉を見込み方向に移動し易い。
したがって、移動する頻度の高い見込み方向の移動がやり易いので、扉の建付け調整が容易にできる。
【００１３】
また、枠側金具の枠側ブラケットにピン部材が設けてあるので、開口枠に枠側ブラケットを取付け、扉に扉側ブラケットを取付け、そのピン部材とピン支持体を連結して扉を取付けるようにした場合に、枠側ブラケットを開口枠に長期間に亘って取付けたままの状態としても、そのピン部材に異物が付着堆積することがない。
したがって、ピン部材とピン支持体を連結して扉を取付けても音鳴りが生じることがないし、ヒンジの耐久性が低下することがない。このことは開口枠下部と扉下部に取付ける下ヒンジにおいて顕著である。
【００１４】
また、ピン部材は枠側ブラケットを介して開口枠にしっかりと取付けてあるので、扉回動時に扉が安定して支持され扉の安定感が向上する。このことは開口枠上部と扉上部に亘って取付ける上ヒンジにおいて顕著である。
【００１５】
また、回転子４６を軸４５に対して一方向に回転することで回転子４６に対して軸４５と扉側ブラケットが上方に移動し、軸４５の下面と回転子４６の上面との間に隙間が生じる。
この隙間にスペーサ５６を設け、回転子４６を軸４５に対して他方向に回転することで軸４５と回転子４６がスペーサ５６を介して締付け固定される。
したがって、枠側金具に対して扉側金具が上方に移動するので、扉の高さを調整できる。
【００１６】
第２の発明によれば、下ヒンジ１６の枠側金具を開口枠の下部寄りに取付け、上ヒンジ１７の枠側金具を開口枠の上部寄りに取付ける。
下ヒンジ１６の扉側ブラケットを扉の下部寄りに取付け、上ヒンジ１７の扉側ブラケットを扉の上部寄りに取付ける。
前述の状態で扉を持ち上げて下ヒンジ１６の扉側金具を枠側金具に連結して扉重量を支えると共に、上ヒンジ１７のピン支持凹部７６をピン部材に嵌め合せて扉の上部寄りを開口枠の上部寄りに支持し、扉を仮取付けする。
この後に固定部材７２を取付けて上ヒンジ１６の扉側金具と枠側金具を回動自在に連結する。
前述のようにして扉を取付けできるから、その扉の取付け作業が容易である。
【００１７】
【発明の実施の形態】
図１に示すように、建物の開口部１０に開口枠１１が取付けられ、この開口枠１１は上枠１２と下枠１３と左右の縦枠１４で方形状で、この開口枠１１に扉１５が、下ヒンジ１６と上ヒンジ１７で閉じ位置と開き位置に亘って前後方向（見込み方向）に回動自在に取付けてある。
前記下ヒンジ１６は一方の縦枠１４の下部寄りと扉１５の下部寄りに亘って取付けてある。
上記上ヒンジ１７は一方の縦枠１４の上部寄りと扉１５の上部寄りに亘って取付けてある。
【００１８】
前記下ヒンジ１６は図２に示すように、縦枠１４の内面１４ａ下部寄りに取付ける枠側金具２０と扉１５の端面１５ａにおける下部寄りに取付ける扉側金具４０を備えている。
前記枠側金具２０は枠側ブラケット２１と、この枠側ブラケット２１に設けたピン部材２２を有する。
前記枠側ブラケット２１は板状の取付部２３と、この取付部２３と一体的に連続した筒状のピン部材取付部２４を有する。その取付部２３が縦枠１４の内面１４ａの下部寄りにビス２５で固着され、そのピン部材取付部２４は縦枠１４の前後方向（見込み方向）一端面１４ｂよりも突出している。
【００１９】
前記ピン部材２２は図３に示すように下ねじ部２２ａ、中間角軸部２２ｂ、中間フランジ部２２ｃ、上軸部２２ｄを有する軸形状で、その中間角軸部２２ｂが枠側ブラケット２１のピン部材取付部２４に、扉１５を閉じ位置とした場合の扉１５の幅方向（以下幅方向という）に移動自在に嵌合している。
具体的にはピン部材取付部２４は見込み方向に相対向した幅方向に向う一対の第１縦片２４ａと幅方向に相対向した見込み方向に向う一対の第２縦片２４ｂで見込み方向寸法が短かく幅方向寸法が長い角筒状で、その一対の第１縦片２４ａの内面が、見込み方向に相対向した幅方向に向う一対の摺動ガイド面２６を形成している。
前記ピン部材２２の中間角軸部２２ｂは前記一対の摺動ガイド面２６に接する見込み方向に相対向した幅方向に向う一対の平坦摺動面２７を有する。
これによって、ピン部材２２はピン部材取付部２４に対して幅方向に摺動自在で、かつ見込み方向には動かないように強固に支持される。
【００２０】
前記ピン部材取付部２４の一対の第２縦片２４ｂには孔２８が相対向して形成されている。
前記ピン部材２２の中間角軸部２２ｂには幅方向に向うねじ孔２９が形成してある。
図４、図５に示すように、ピン部材２２をピン部材取付部２４内に挿入して中間フランジ部２２ｃを上面２４ｃに当接し、下ねじ部２２ａを下面２４ｄより突出する。
前記一方の孔２８から第１調整ねじ３０をねじ孔２９に螺合し、その第１調整ねじ３０を他方の孔２８から突出してスナップリング３１等で抜け止めする。
【００２１】
前述の状態で、第１調整ねじ３０を回転することでピン部材２２が枠側ブラケット２１に対して幅方向に移動する。これによって幅方向調整機構を形成する。
前記下ねじ部２２ａにワッシャ３２を挿入すると共に、固定ナット３３を螺合してワッシャ３２をピン部材取付部２４の下面２４ｄに押しつけ、中間フランジ部２２ｃとによってピン部材取付部２４の上面２４ｃ、下面２４ｄを挟持することでピン部材２２を固定する。
【００２２】
前記扉側金具４０は図２に示すように、扉側ブラケット４１と、この扉側ブラケット４１に見込み方向に移動自在に設けたピン支持体４２を備えている。
【００２３】
前記扉側ブラケット４１は板状の取付部４３と、この取付部４３と一体的に連続したピン支持体取付部４４を有する。
その取付部４３が扉１５の端面１５ａにおける下部寄りにビス４３ａで固着され、ピン支持体取付部４４は扉１５の表面よりも突出する。
【００２４】
前記ピン支持体４２は図６に示すように、軸４５と回転子４６を有する。その軸４５は上ねじ部４５ａ、中間角軸部４５ｂ、下フランジ部４５ｃを有し、その下面に開口したねじ穴４７を有する形状である。
この中間角軸部４５ｂが扉側ブラケット４１のピン支持体取付部４４に見込み方向に移動自在に嵌合している。
【００２５】
具体的にはピン支持体取付部４４は見込み方向に相対向した幅方向に向う一対の第１縦片４４ａと幅方向に相対向した見込み方向に向う一対の第２縦片４４ｂで見込み方向寸法が長く幅方向寸法が短かい角筒状で、その一対の第２縦片４４ｂの内面が、幅方向に相対向した見込み方向に向う一対の摺動ガイド面４８を形成している。
前記ピン支持体４２の軸４５の中間角軸部４５ｂは前記一対の摺動ガイド面４８に接する幅方向に相対向した見込み方向に向う一対の平坦摺動面４９を有する。
これによって、ピン支持体４２はピン支持体取付部４４に対して見込み方向に摺動自在で、かつ幅方向には動かないように強固に支持される。
【００２６】
前記ピン支持体取付部４４の一対の第１縦片４４ａには孔５０が相対向して形成されている。
前記ピン支持体４２の軸４５の中間角軸部４５ｂには見込み方向に向うねじ孔５１が形成してある。前記回転子４６は上ねじ部４６ａと下筒状部４６ｂを有し、その上ねじ部４６ａが軸４５のねじ穴４７に螺合して連結される。前記下筒状部４６ｂにはスパナ等の回転工具を嵌合する２面部が形成してある。
【００２７】
図４、図５に示すように、軸４５をピン支持体取付部４４内に挿入して下フランジ部４５ｃを下面４４ｃに当接し、上ねじ部４５ａを上面４４ｄより突出する。
前記一方の孔５０から第２調整ねじ５２をねじ孔５１に螺合し、その第２調整ねじ５２を他方の孔５０から突出してスナップリング５３等で抜け止めする。
【００２８】
前述の状態で、第２調整ねじ５２を回転することでピン支持体４２が扉側ブラケット４１に対して見込み方向に移動する。これによって、見込み方向調整機構を形成する。
前記軸４５の上ねじ部４５ａにワッシャ５４を挿入して固定ナット５５を螺合し、ワッシャ５４をピン支持体取付部４４の上面４４ｄに押しつけて軸４５（ピン支持体４２）を固定する。
【００２９】
図５に示すように、ピン部材２２の上軸部２２ｄ（ピン部材２２の上部）とピン支持体４２の回転子４６の下筒状部４６ｂ（つまり、ピン支持体４２の下向き凹部）を嵌合することで枠側金具２０と扉側金具４０が回動自在に連結され、下ヒンジ１６を形成する。
【００３０】
前述の状態で回転子４６を一方向に回転すると軸４５が上方に移動し、扉側ブラケット４１も軸４５とともに上方に移動する。
軸４５の下フランジ部４５ｃの下面と回転子４６の下筒状部４６ｂ上面との間に隙間が生じる。
この隙間に図５に仮想線で示すスペーサ５６を挿入し、回転子４６を他方向に回転して軸４５と回転子４６をスペーサ５６を介して締付け固定する。
【００３１】
これによって、枠側金具２０に対して扉側金具４０が上方に移動するので、扉１５の高さを調整できる。
【００３２】
前記上ヒンジ１７は図２に示すように枠側金具６０と扉側金具７０を有する。
この枠側金具６０は下ヒンジ１６の枠側金具２０と同一形状であるので、各部材の符号を同一として説明を省略する。なお、ピン部材２２の上軸部２２ｄは下ヒンジ１６のそれよりも長い。
【００３３】
扉側金具７０は扉側ブラケット７１と固定部材７２を有する。
前記扉側ブラケット７１は縦板状の取付部７３と、この取付部７３と一体的に連続したコ字状部７４を有する。
その取付部７３が扉１５の端面１５ａにおける上部寄りにビス７５が固着され、コ字状部７４は扉１５の表面よりも突出する。
前記コ字状部７４は幅方向に相対向した見込み方向に向う第１縦片７４ａ、第２縦片７４ｂと、幅方向に向う第３縦片７４ｃで見込み方向一方が開口し、かつピン部材２２の上軸部２２ｄの径と略同一開口幅の平面コ字形状で、ピン部材支持凹部７６を形成している。
【００３４】
前記第３縦片７４ｃにねじ孔７７が形成してある。このねじ孔７７に第２調整ねじ７８が見込み方向に向けて螺合してある。
前記第１縦片７４ａにねじ孔７９が形成してあると共に、ピン部材支持凹部７６の開口端部分に抜け止め片８０が打ち出し成形によって一体的に設けてある。
【００３５】
前記固定部材７２は横片７２ａと一対の縦片７２ｂで下向きコ字形状で、横片７２ａにピン部材２２の上軸部２２ｄと略同一径の孔８１が形成され、一方の縦片７２ｂに見込み方向に長い長孔８２が形成してある。
この固定部材７２は図７に示すように、その一対の縦片７２ｂがコ字状部７４の第１縦片７４ａ外面と第２縦片７４ｂ外面に接するように嵌め込んで見込み方向にスライド可能で幅方向には動かないように仮取付けられ、長孔８２から固定ボルト８３をねじ孔７９に螺合して固定される。
前記コ字状部７４と固定部材７２でピン支持体を形成する。
【００３６】
図４と図７に示すように、ピン部材２２の上軸部２２ｄがコ字状部７４のピン部材支持凹部７６と固定部材７２の孔８１に挿入し、その上軸部２２ｄの見込み方向一面に第２調整ねじ７８が当接する。
このようであるから、固定ボルト８３を弛めて第２調整ねじ７８を回転することでピン部材２２が固定部材７２とともにコ字状部７４に対して見込み方向に移動する。
【００３７】
固定ボルト８３を締付けて固定部材７２を固定することで、ピン部材２２は扉側ブラケット７１に対して見込み方向に動かないように支持される。
また、固定部材７２の孔８１にピン部材２２の上軸部２２ｄが嵌合しているから、固定部材７２でピン部材２２が幅方向に動かないように支持される。
なお、ピン部材２２の上軸部２２ｄをコ字状部７４の第１縦片７４ａと第２縦片７４ｂで幅方向に動かないように支持しても良い。この場合には固定部材７２の孔８１は見込み方向寸法が上軸部２２ｄと等しく、幅方向寸法が長い角孔としても良い。
この場合には固定ボルト８３を上軸部２２ｄと干渉しない位置とする。
【００３８】
次に扉１５を取付ける作業手順を説明する。
扉１５の端部１５ａの下部寄り、上部寄りに下ヒンジ１６の扉側金具４０の扉側ブラケット４１、上ヒンジ１７の扉側金具７０の扉側ブラケット７１をそれぞれ取付ける。固定部材７２は取り外した状態とする。
縦枠１４の下部寄りと上部寄りに下ヒンジ１６の枠側金具２０の枠側ブラケット２１、上ヒンジ１７の枠側金具６０の枠側ブラケット２１をそれぞれ取付ける。
【００３９】
扉１５を持ち上げ下ヒンジ１６の扉側金具４０のピン支持体４２（回転子４６）を枠側金具２０のピン部材２２に嵌合して連結し、扉１５の下部寄りを縦枠１４の下部寄りに回動自在に取付けると共に、扉１５の重量を支える。
これと同時に上ヒンジ１７の扉側金具７０の扉側ブラケット７１のピン部材支持凹部７６を枠側金具６０のピン部材２２に嵌め合わせ、扉１５の上部寄りを縦枠１４の上部寄りに仮取付けする。
前述のように、ピン部材支持凹部７６をピン部材２２に嵌め合せる時に抜け止め片８０を弾性変形し、この抜け止め片８０で嵌め合せた後には抜け出すことが防止されるので、扉１５を確実に仮取付けできる。
【００４０】
固定部材７２を取付けてピン部材２２の上軸部２２ｄを支持し、枠側金具６０と扉側金具７０を回動自在に連結する。
【００４１】
前述のようにして扉１５を取付けることで、その扉１５の取付け作業が容易である。
【００４２】
図８に示すように、上ヒンジ１７の枠側金具６０を、ピン部材２２を枠側ブラケット２１のピン部材取付部２４よりも下方に突出した形状とし、上ヒンジ１７の扉側金具７０を、コ字状部７４が取付部７３の下部寄りに一体的に設けた形状としても良い。
このようにすれば、上ヒンジ１７の扉側金具７０の第２調整ねじ７８が枠側金具６０の第１調整ねじ３０よりも下方位置となるので、その第２調整ねじ７８を作業者が目視し易いと共に、回転操作し易くなるから、扉１５を見込み方向に移動する操作がやり易い。
【００４３】
【発明の効果】
請求項１に係る発明によれば、扉を見込み方向に移動する時には扉側ブラケットがピン支持体に対して見込み方向に移動するだけであるから、扉を見込み方向に移動し易い。
したがって、移動する頻度の高い見込み方向の移動がやり易いので、扉の建付け調整が容易にできる。
【００４４】
また、枠側金具の枠側ブラケットにピン部材が設けてあるので開口枠に扉側ブラケットを取付け、扉に扉側ブラケットを取付け、そのピン部材とピン支持体を連結して扉を取付けるようにした場合に、枠側ブラケットを開口枠に長期間に亘って取付けたままの状態としても、そのピン部材に異物が付着堆積することがない。
したがって、ピン部材とピン支持体を連結して扉を取付けても音鳴りが生じることがないし、ヒンジの耐久性が低下することがない。このことは開口枠下部と扉下部に取付ける下ヒンジにおいて顕著である。
【００４５】
また、ピン部材は枠側ブラケットを介して開口枠にしっかりと取付けてあるので、扉回動時に扉が安定して支持され扉の安定感が向上する。このことは開口枠上部と扉上部に取付ける上ヒンジにおいて顕著である。
【００４６】
また、回転子４６を軸４５に対して一方向に回転することで回転子４６に対して軸４５と扉側ブラケットが上方に移動し、軸４５の下面と回転子４６の上面との間に隙間が生じる。
この隙間にスペーサ５６を設け、回転子４６を軸４５に対して他方向に回転することで軸４５と回転子４６がスペーサ５６を介して締付け固定される。
したがって、枠側金具に対して扉側金具が上方に移動するので、扉の高さを調整できる。
【００４７】
請求項２に係る発明によれば、下ヒンジ１６の枠側金具を開口枠の下部寄りに取付け、上ヒンジ１７の枠側金具を開口枠の上部寄りに取付ける。
下ヒンジ１６の扉側ブラケットを扉の下部寄りに取付け、上ヒンジ１７の扉側ブラケットを扉の上部寄りに取付ける。
前述の状態で扉を持ち上げて下ヒンジ１６の扉側金具を枠側金具に連結して扉重量を支えると共に、上ヒンジ１７のピン支持凹部７６をピン部材に嵌め合せて扉の上部寄りを開口枠の上部寄りに支持し、扉を仮取付けする。
この後に固定部材７２を取付けて上ヒンジ１６の扉側金具と枠側金具を回動自在に連結する。
前述のようにして扉を取付けできるから、その扉の取付け作業が容易である。
【図面の簡単な説明】
【図１】扉取付け状態の外観図である。
【図２】開口枠から扉を取り外した状態の斜視図である。
【図３】下ヒンジの枠側金具の分解斜視図である。
【図４】開口枠に扉を取付けた状態の斜視図である。
【図５】下ヒンジの縦断面図である。
【図６】下ヒンジの扉側金具の分解斜視図である。
【図７】上ヒンジの縦断面図である。
【図８】上ヒンジの第２の実施の形態を示す取り外した状態を示す斜視図である。
【符号の説明】
１１…開口枠、１４…縦枠、１５…扉、１６…下ヒンジ、１７…上ヒンジ、２０…枠側金具、２１…枠側ブラケット、２２…ピン部材、２４…ピン部材取付部、３０…第１調整ねじ、４０…扉側金具、４１…扉側ブラケット、４２…ピン支持体、４４…ピン支持体取付部、５２…第２調整ねじ、６０…枠側金具、７０…扉側金具、７１…扉側ブラケット、７２…固定部材、７６…ピン部材支持凹部、７８…第２調整ねじ。
【図１】
0003735803.tif 000002
【図２】
0003735803.tif 000003
【図３】
0003735803.tif 000004
【図４】
0003735803.tif 000005
【図５】
0003735803.tif 000006
【図６】
0003735803.tif 000007
【図７】
0003735803.tif 000008
【図８】
0003735803.tif 000009